(57)【要約】【課題】高所作業車の作業台の手摺に対する着脱が容易で、ネットの張設範囲の変更が可能で、保管・移動するときにコンパクトに収納可能な、落下物防止ネットを提供する。【解決手段】落下物防止ネット１００は、手摺部１を構成する上方水平部材１ａに起立姿勢で着脱可能に係合する第１係合部１１を有するステー本体１０と、ステー本体１０の下方にステー本体１０の長手方向に沿って移動可能に取付けられ水平部材１ａ下方の下方水平部材１ｂに着脱可能に係合する第２係合部２１を有する調整ガイド２０と、ステー本体１０の下端部１０ｂの支軸３１を支点として回動可能に軸支された可動ステー３０と、可動ステー３０を傾斜姿勢に保持するベルト４０と、を有する一対のネット支持ユニット５０，５０と、上方水平部材１ａの水平方向に離れた位置に配置された一対のネット支持ユニット５０，５０の間に張設されたネット６０と、を備えている。【選択図】図１
2018193170.tif 000002
【特許請求の範囲】
【請求項１】
高所作業車の作業台の手摺部に着脱可能に取付けられる落下防止ネットであって、
前記手摺部を構成する上方水平部材に起立姿勢で着脱可能に係合する第１係合部を有するステー本体と、
前記ステー本体の下方に前記ステー本体の長手方向に沿って移動可能に取付けられ、前記上方水平部材の下方に位置する下方水平部材に着脱可能に係合する第２係合部を有する調整ガイドと、
前記ステー本体の下端部寄りの部分を支点として前記手摺部に対して接近離隔する方向に回動可能に軸支された可動ステーと、
前記ステー本体に対して前記可動ステーを傾斜姿勢に保持するベルトと、を有する複数のネット支持ユニットと、
前記上方水平部材の水平方向に離れた位置に配置された少なくとも一対の前記ネット支持ユニットの間に張設され、前記ネット支持ユニット及び前記上方水平部材に係止されたネットと、を備えたことを特徴とする落下物防止ネット。
【請求項２】
前記可動ステーの長さが変更可能である請求項１記載の落下物防止ネット。
【請求項３】
前記支点を中心に回動させることにより前記可動ステーを前記ステー本体に対して最接近させたとき、前記ステー本体と前記可動ステーとの間に空隙を形成するストッパを備えた請求項１または２記載の落下物防止ネット。
【請求項４】
前記可動ステーの先端部に前記ネットを係止するためのフックを備えた請求項１〜３の何れかに記載の落下物防止ネット。
【請求項５】
前記ステー本体及び前記可動ステーを形成する部材が多角筒状体である請求項１〜４の何れかに記載の落下物防止ネット。
【請求項６】
前記ネット支持ユニットの前記ベルトに沿った部分に位置する前記ネットの側縁部に、互いに係脱可能な面ファスナを備えた請求項１〜５の何れかに記載の落下物防止ネット。
【発明の詳細な説明】
【技術分野】
【０００１】
本発明は、一般道路や自動車専用道路のトンネル内の照明器具などの点検・補修作業を行う場合に高所作業車の作業台の手摺に取り付けて使用する落下物防止ネットに関する。
【背景技術】
【０００２】
一般道路や自動車専用道路のトンネル内の照明器具などの点検・補修作業を行う場合には昇降可能な作業台を有する高所作業車が使用されることが多いが、高所作業中の作業台から道路面に向かって補修部品や工具などが落下するのを防止するため、落下物防止ネットが使用されている。
【０００３】
落下物防止ネットについては、従来、様々な形状、構造、機能を有するものが提案されているが、本発明に関連するものとして、例えば、特許文献１に記載された「活線作業用落下物捕捉ネット」あるいは特許文献２に記載された「高所作業車用の落下物捕捉装置」などがある。
【先行技術文献】
【特許文献】
【０００４】
【特許文献１】特開２００２−１９９５２９号公報
【特許文献２】特開２００３−２８６７７２号公報
【発明の概要】
【発明が解決しようとする課題】
【０００５】
落下物防止ネットは、作業現場まで走行してきた高所作業車の作業台の手摺に取り付けて使用するものであり、使用後は作業台の手摺から取り外して保管したり、他の作業現場まで移動させたりする必要がある。
【０００６】
このため、落下物防止ネットに求められる要件としては、作業台の手摺への着脱が容易であること、作業現場で必要とする広さに応じてネットを張設することができること、使用後はコンパクトに収納することができることなどが挙げられる。
【０００７】
しかしながら、従来の落下物防止ネットにおいては、前述した要件を十分に満たすことができないのが実状である。
【０００８】
そこで、本発明が解決しようとする課題は、高所作業車の作業台の手摺に対する着脱が容易であって、ネットの張設範囲の変更が可能であり、保管したり移動したりするときにコンパクトに収納可能な、落下物防止ネットを提供することにある。
【課題を解決するための手段】
【０００９】
前記課題を解決するため、本発明の落下物防止ネットは、高所作業車の作業台の手摺部に着脱可能に取付けられる落下防止ネットであって、
前記手摺部を構成する上方水平部材に起立姿勢で着脱可能に係合する第１係合部を有するステー本体と、
前記ステー本体の下方に前記ステー本体の長手方向に沿って移動可能に取付けられ、前記上方水平部材の下方に位置する下方水平部材に着脱可能に係合する第２係合部を有する調整ガイドと、
前記ステー本体の下端部寄りの部分を支点として前記手摺部に対して接近離隔する方向に回動可能に軸支された可動ステーと、
前記ステー本体に対して前記可動ステーを傾斜姿勢に保持するベルトと、を有する複数のネット支持ユニットと、
前記上方水平部材の水平方向に離れた位置に配置された少なくとも一対の前記ネット支持ユニットの間に張設され、前記ネット支持ユニット及び前記上方水平部材に係止されたネットと、を備えたことを特徴とする。
【００１０】
ここで、前記落下物防止ネットにおいては、可動ステーの長さが変更可能であることが望ましい。
【００１１】
また、前記落下物防止ネットにおいては、前記支点を中心に相対的に回動させることにより前記可動ステーと前記ステー本体とを最接近させたとき、前記ステー本体と前記可動ステーとの間に空隙を形成するストッパを備えることが望ましい。
【００１２】
さらに、前記落下物防止ネットにおいては、前記可動ステーの先端部に前記ネットを係止するためのフックを備えることが望ましい。
【００１３】
一方、前記落下物防止ネットにおいては、前記ステー本体及び前記可動ステーを形成する部材が多角筒状体であることが望ましい。
【００１４】
また、前記落下物防止ネットにおいては前記ネット支持ユニットの前記ベルトに沿った部分に位置する前記ネットの側縁部に、互いに係脱可能な面ファスナを備えたものとすることができる。
【発明の効果】
【００１５】
本発明により、高所作業車の作業台の手摺に対する着脱が容易であって、ネットの張設範囲の変更が可能であり、保管したり移動したりするときにコンパクトに収納可能な、落下物防止ネットを提供することができる。
【図面の簡単な説明】
【００１６】
【図１】本発明の実施形態である落下物防止ネットを手摺に取り付けた状態を示す一部省略斜視図である。
【図２】図１中の矢線Ａ方向から見たネット支持ユニットを示す一部省略側面図である。
【図３】図２に示すネット支持ユニットの可動ステーを折り畳んだ状態を示す一部切欠側面図である。
【図４】図３中の矢線Ｂ方向から見た可動ステーの背面図である。
【図５】図３中のＣ−Ｃ線における一部省略断面図である。
【発明を実施するための形態】
【００１７】
以下、図１〜図５に基づいて、本発明の実施形態である落下物防止ネット１００について説明する。図１に示すように、本実施形態の落下物防止ネット１００は、高所作業車の作業台（図示せず）に設けられた格子状の手摺部１に着脱可能に取付けて使用されるものである。落下物防止ネット１００は、上方水平部材１ａ及び下方水平部材１ｂの水平方向に離れた位置に配置された一対のネット支持ユニット５０，５０と、これらのネット支持ユニット５０，５０の間に張設され、ネット支持ユニット５０，５０及び上方水平部材１ａに係止されたネット６０と、を備えている。
【００１８】
図１〜図４に示すように、ネット支持ユニット５０は、手摺部１を構成する上方水平部材１ａに起立姿勢で着脱可能に係合する第１係合部１１を有するステー本体１０と、ステー本体１０の下方にステー本体１０の長手方向に沿って移動可能に取付けられ、水平部材１ａの下方に位置する下方水平部材１ｂに着脱可能に係合する第２係合部２１を有する調整ガイド２０と、ステー本体１０の下端部寄りの部分の支軸３１を支点として手摺部１に対して接近離隔する方向に回動可能に軸支された可動ステー３０と、ステー本体１０に対して可動ステー３０を傾斜姿勢に保持するベルト４０と、を有している。
【００１９】
ベルト４０は、ステー本体１０の上端部１０ａと、可動ステー３０の先端部３０ａとを繋ぐように設けられている。ベルト４０の長さはバックル４１の位置を移動することによって変更可能であり、これによってステー本体１０の上端部１０ａと、可動ステー３０の先端部３０ａとの距離を変更することができる。
【００２０】
図１に示すように、ネット６０の上方の水平後縁部６１には、その長手方向に沿って複数の貫通孔６１ａが等間隔に開設され、それぞれの貫通孔６１ａに挿通された紐状体２を手摺部１の上方水平部材１ａに結び付けることにより、ネット６０の水平後縁部６１が上方水平部材１ａに着脱可能に係止されている。ネット６０の水平前縁部６４の左右両端部分は、可動ステー３０の先端部３０ａに設けられたＪ字状のフック３３にそれぞれ着脱可能に係止されている。
【００２１】
ネット６０の後方の垂直後縁部６２は、ステー本体１０に巻回されたベルト３によってステー本体１０に着脱可能に係止されている。ネット６０の傾斜下縁部６３は可動ステー３０に巻回されたベルト４によって可動ステー３０に着脱可能に係止されている。
【００２２】
図２〜図５に示すように、ネット支持ユニット５０を構成するステー本体１０は四角筒状の部材で形成され、ステー本体１０の外周に四角筒状の部材で形成された調整ガイド２０がステー本体１０の長手方向に沿ってスライド可能に嵌装されている。調整ガイド２０の外周には、ステー本体１０に対して調整ガイド２０を係脱可能に固定するネジ式のストッパノブ２３が設けられている。
【００２３】
ステー本体１０の上端部１０ａには、垂下部１１ａを有する、垂直断面がＬ字状の第１係合部１１が設けられている。垂下部１１ａの背面（後面）には、垂下部１１ａよりさらに下方に垂下した形状の離脱防止部１１ｂが設けられている。
【００２４】
調整ガイド２０の背面（後面）には門型の第２係合部２１が設けられ、第２係合部２１内に把持された下方水平部材１ｂに対して第２係合部を係脱可能に固定するネジ式のストッパノブ２２が設けられている。
【００２５】
ネット支持ユニット５０を構成する可動ステー３０は、八角筒状の外筒３４と、外筒３４内にスライド可能に挿入された八角筒状の内筒３５と、を備えている。内筒３５は外筒３４に対し、その長手方向にスライド可能（出し入れ可能）であるため、可動ステー３０全体の長さは変更可能である。可動ステー３０の先端部３０ａ（内筒３５の先端部）にフック３３の基端部が固着されている。
【００２６】
図２に示すように、可動ステー３０はステー本体１０に対し、支軸３１を中心に回動可能である。可動ステー３０の基端部３０ｂの背面（後面）には、ステー本体１０の下端部１０ｂの両側面を挟持する一対の側板３２ｂ，３２ｂと、側板３２ｂ，３２ｂの下縁部同士を連接する底板３２ａと、を備えた連結部材３２が固着されている。図５に示すように、支軸３１は、連結部材３２の一対の側板３２ｂ，３２ｂ及びステー本体１０を連通するように設けられている。
【００２７】
このため、図２に示すように、支軸３１を中心にし、可動ステー３０がステー本体１０から離れる方向に回動させていくと、連結部材３２の底板３２ａがステー本体１０の下端部１０ｂの背面（後面）に当接し、可動ステー３０はそれ以上回動不能となる。本実施形態では、ステー本体１０と可動ステー３０との展開角Ｒが約８４度となる位置にて、可動ステー３０が傾斜姿勢で保持されるように設定されているが、これに限定するものではない。
【００２８】
一方、図３に示すように、支軸３１を中心に相対的に回動させることにより可動ステー３０とステー本体１０とを接近させると、ステー本体１０の正面（前面）に突設されたストッパ２４が可動ステー３０の背面（後面）に当接し、これによって、ステー本体１０と可動ステー３０との間に空隙Ｖが形成される。
【００２９】
ここで、図１〜図４に基づいて、落下物防止ネット１００の使用方法、機能などについて説明する。落下物防止ネット１００を使用する場合、一対のネット支持ユニット５０，５０の間に配置したネット６０の左右の側面６５，６５の垂直後縁部６２並びに傾斜下縁部６３を、それぞれベルト３，４を介して、ステー本体１０並びに可動ステー３０に係止する。
【００３０】
次に、図１に示すように、一対のネット支持ユニット５０，５０のステー本体１０，１０の第１係合部１１，１１を、高所作業車の作業台の手摺部１の上方水平部材１ａに引っ掛ける。この後、それぞれのネット支持ユニット５０のストッパノブ２３を緩め、調整ガイド２０をステー本体１０に沿ってスライドさせ、第２係合部２１を下方水平部材１ｂに引っ掛ける。
【００３１】
次に、一方のネット支持ユニット５０のストッパノブ２２，２３を締め付け、ネット支持ユニット５０を下方水平部材１ｂに係止する。この後、他方のネット支持ユニット５０を上方水平部材１ａ及び下方水平部材１ｂの長手方向に沿って移動させて、一方のネット支持ユニット５０と他方のネット支持ユニット５０との間の距離を調整し、ネット６０の水平後縁部６１が上方水平部材１ａに沿って直線状態をなすようにセットした後、ストッパノブ２２，２３を絞めつけると、二つのネット支持ユニット５０，５０の間にネット６０が仮係止される。
【００３２】
次に、複数の紐状体２を用いて、ネット６０の水平後縁部６１を上方水平部材１ａに係止した後、バックル４１を調整して、ベルト４０が直線状態となるようにセットすれば、手摺部１に対する落下物防止ネット１００の装着が完了する。図１に示すように、落下物防止ネット１００は、手摺部１の前方にカンガルーポケット状に開いた形状であるため、高所作業中に誤って落下した補修部品や工具などを確実に捕捉することができる。
【００３３】
一方、高所作業が終了し、落下物防止ネット１００を撤収する場合は、前述した手順と逆の手順で作業を行えば、落下物防止ネット１００を手摺部１から容易に離脱させることができる。よって、落下物防止ネット１００は、高所作業車の作業台の手摺に対する着脱が容易である。
【００３４】
また、落下物防止ネット１００においては、ネット６０の左右方向（ネット６０の水平後縁部６１及び水平前縁部６４の長手方向）のサイズは限定されないので、ネット６０の左右方向のサイズを変えたり、複数の落下物防止ネット１００を左右方向に並べて配置したりすることにより、ネット６０の張設範囲の変更が可能であるため、様々な作業状況に適切に対応することができる。
【００３５】
なお、左右方向のサイズが長いネット６０を使用する場合、左右一対のネット支持ユニット５０，５０の間に、１以上のネット支持ユニット５０を配置してネット６０を支持することもできる。
【００３６】
図１に示すように、落下物防止ネット１００を構成するネット６０において、ネット支持ユニット５０のベルト６０に沿った部分に位置する左右の側縁部６６，６６に、互いに係脱可能な面ファスナ６７，６７（例えば「マジックテープ（登録商標）」など）を備えている。このため、複数の落下物防止ネット１００を左右方向に並べて配置したとき、隣り合う側縁部６６，６６同士を、それぞれの面ファスナ６７，６７同士を係合させることにより、隙間なく接合することができる。
【００３７】
従って、高所作業中に、隣り合う２つネット６０，６０の側縁部６６，６０の間から、工具や補修部品などが落下するのを防止することができる。係合状態にある面ファスナ６７，６７は外力を加えれば分離できるので、使用後の撤収作業も容易である。
【００３８】
次に、高所作業車の作業台の手摺部１から離脱させた落下物防止ネット１００を収納する場合、左右のネット支持ユニット５０，５０のステー本体１０及び可動ステー３０を図３に示すように折り畳んで棒形状とし、ネット６０の左右部分において垂直後縁部６２及び傾斜下縁部６３に係止された状態にある棒形状のネット支持ユニット５０を中芯として、ネット６０の左右部分からそれぞれネット６０を巻いていけば、落下物防止ネット１００は簀巻き状となるので、小さくまとめることができる。よって、落下物防止ネット１００は、保管したり移動したりするときにコンパクトに収納可能である。
【００３９】
一方、図３に示すように、可動ステー３０とステー本体１０とを折り畳んだとき、ステー本体１０の正面（前面）に突設されたストッパ２４が可動ステー３０の背面（後面）に当接することによって、ステー本体１０と可動ステー３０との間に空隙Ｖが形成される。このため、可動ステー３０とステー本体１０とを折り畳むときに、可動ステー３０とステー本体１０との間に手指を挟むなどの事故を防止することができる。
【００４０】
なお、前述した落下物防止ネット１００の収納方法は一例であり、これに限定するものではないので、保管スペースや移動状況に応じた収納方法を採用することができる。
【００４１】
図１〜図５に基づいて説明した落下物防止ネット１００は本発明に係る落下物防止ネットの一例を示すものであり、本発明に係る落下物防止ネットは前述した落下物防止ネット１００に限定されない。
【産業上の利用可能性】
【００４２】
本発明に係る落下物防止ネットは、一般道路や自動車専用道路のトンネル内の照明器具などの点検・補修作業を行う場合などに、高所作業車の作業台の手摺に取り付けて広く利用することができる。
【符号の説明】
【００４３】
１  手摺部
１ａ  上方水平部材
１ｂ  下方水平部材
２  紐状体
３，４，４０  ベルト
１０  ステー本体
１０ａ  上端部
１０ｂ  下端部
１１  第１係合部
１１ａ  垂下部
１１ｂ  離脱防止部
２０  調整ガイド
２１  第２係合部
２２，２３  ストッパノブ
３０  可動ステー
３０ａ  先端部
３０ｂ  基端部
３１  支軸
３２  連結部材
３２ａ  底板
３２ｂ  側板
３３  フック
３４  外筒
３５  内筒
４１  バックル
５０  ネット支持ユニット
６０  ネット
６１  水平後縁部
６１ａ  貫通孔
６２  垂直後縁部
６３  傾斜下縁部
６４  水平前縁部
６５  側面
６６  側縁部
６７  面ファスナ
１００  落下物防止ネット
Ｒ  展開角
Ｖ  空隙
【図１】
2018193170.tif 000003
【図２】
2018193170.tif 000004
【図３】
2018193170.tif 000005
【図４】
2018193170.tif 000006
【図５】
2018193170.tif 000007